(57)【要約】  医療装置は、体内１０１に導入され、体内１０１を撮像する撮像ユニット５０と、外部機器５と信号を授受する通信ケーブル４３と、通信ケーブル４３の端部に配設された電気端子部６１と、電気端子部６１を覆って装着される防滴キャップ６０と、防滴キャップ６０に設けられ、体内１０１に導入されている通信ケーブル４３を体外へ引出すための穿刺針４が掛止する掛止部６７と、防滴キャップ６０に設けられ、ケーブルワイヤ４３を引出すときに、体壁１０２組織を切開する切開部６６と、を具備している。
2011024515.tif 000002
【特許請求の範囲】
【請求項１】
体内に導入される医療装置であって、
前記体内を撮像する撮像ユニットと、
外部機器と信号を授受する通信ケーブルと、
前記通信ケーブルの端部に配設され、前記外部機器と電気的に接続される電気端子部と、
前記電気端子部を覆って装着され、前記電気端子部に着脱自在な防滴キャップと、
前記防滴キャップに設けられ、前記体内に導入されている前記通信ケーブルを体外へ引出すための穿刺針が掛止する掛止部と、
前記防滴キャップに設けられ、前記穿刺針によって前記体内から前記体外へ前記通信ケーブルを引出すときに、体壁組織を切開する切開部と、
を具備することを特徴とする医療装置。
【請求項２】
前記掛止部は、ループ状のワイヤであることを特徴とする請求項１に記載の医療装置。
【請求項３】
前記切開部は、前記防滴キャップの先端面に設けられた刃状部材であることを特徴とする請求項１、または請求項２に記載の医療装置。
【請求項４】
前記防滴キャップは、先端が円錐形状に形成されていることを特徴とする請求項３に記載の医療装置。
【請求項５】
前記刃状部材は、前記防滴キャップの円錐面に複数設けられていることを特徴とする請求項４に記載の医療装置。
【請求項６】
前記撮像ユニットの視野内に前記掛止部が位置するように、前記通信ケーブルを保持する保持部を有することを特徴とする請求項１から請求項５のいずれかに記載の医療装置。
【請求項７】
体内に導入される医療装置であって、
前記体内を撮像する撮像手段と、
外部機器と信号を授受する通信手段と、
前記通信手段の端部に配設され、前記外部機器と電気的に接続される電気接続手段と、
前記電気接続手段を覆って装着され、前記電気接続手段に着脱自在な防滴手段と、
前記防滴手段に設けられ、前記体内に導入されている前記通信手段を体外へ引出すための穿刺手段が掛止する掛止手段と、
前記防滴手段に設けられ、前記穿刺手段によって前記体内から前記体外へ前記通信手段を引出すときに、体壁組織を切開する切開手段と、
を具備することを特徴とする医療装置。
【発明の詳細な説明】
【技術分野】
【０００１】
本発明は、体内に導入使用される撮像装置を備えた医療装置に関する。
【背景技術】
【０００２】
周知のように、医療装置である内視鏡装置は、撮像装置を備えており、患者の体腔内へ導入されて、撮像装置によって撮影された観察像により、体内患部の各種検査、各種処置などを行うためのものである。【０００３】
このような内視鏡には、体内の管腔管路である、食道、胃、大腸、十二指腸などの消化臓器内に口腔、または肛門から導入するもの、臍部近傍から体壁を穿刺して貫通して、腹腔内へ導入して、消化管内検査の他、体内の臓器を観察しながら治療処置を行う外科手術、所謂、腹腔鏡下外科手術が注目されている。【０００４】
この腹腔鏡下外科手術は、低侵讐のため大きく開腹することなく、観察用の内視鏡を体腔内に導くトラカールと、処置具を処置部位に導くトラカールとを患者の腹部に穿刺して、患者の腹腔内に内視鏡を導入して治療処置を行える。【０００５】
以上のような体内に導入される医療装置は、例えば、ＪＰ特開２００７−２０８０９号公報に記載されるような、超音波カプセルと信号ケーブルの自由端とをコネクタを介して着脱自在に接続して、超音波カプセルが信号ケーブルから離脱することができるカプセル装置が開示されている。【０００６】
この従来のカプセル装置は、体内管路の屈曲部や狭窄部によって、超音波カプセルの通過が妨げられた場合にも、患者に苦痛を与えたり、信号ケーブルが断線したりすることを防止して、超音波カプセルを体外へ排出させることができるものである。【０００７】
また、例えば、ＪＰ特開平７−２５０８０９号公報には、少なくとも一部が透明である貫通先端部を遠位端に有する硬質中空シャフトを備え、照明および可視化部材を備えても良い体組織の貫通のための装置が開示されている。  
この従来の体組織の貫通のための装置は、トラカールなどにより、組織を貫通、切除などする前に、先端部の透明部材を介して組織を観察することができる。    
しかしながら、ＪＰ特開２００７−２０８０９号公報のカプセル装置は、超音波カプセルが信号ケーブルから離脱すると、超音波カプセルの電気接点部と信号ケーブルの電気接点部が体内で露出された状態となってしまうという問題がある。また、従来のカプセル装置は、超音波断層画像診断を行う構成であって、超音波カプセルが信号ケーブルから離脱すると、その後の超音波断層画像診断が行なえないという問題がある。なお、超音波カプセルが信号ケーブルから離脱後に、超音波カプセルから超音波断層画像信号を体外の超音波観測装置に無線伝送する構成も考えられるが、通常の可視観察画像においては、近年の観察画像の高画素化に伴い、観察画像信号を有線伝送することが望ましい。【０００８】
ところで、腹腔鏡下外科手術では、内視鏡によって処置部位を詳細に観察できる反面、観察できる視野の範囲が比較的狭いという問題がある。そのため、通常の内視鏡の他に、腹腔内の治療部位全体を広範囲に観察できるように、広角視野範囲が設定された広角観察用の内視鏡などの撮像装置を併用することが好ましい。【０００９】
しかしながら、通常の内視鏡に加え、さらに、体壁である腹壁にトラカールを穿刺して、腹腔内を広角に観察する内視鏡を用いて腹腔鏡下外科手術を行うと、患者の腹壁に複数のトラカールを穿刺しなければならない。これでは、患者に今までよりも負担をかけてしまい、低侵襲な腹腔鏡下外科手術ではなくなってしまうという問題がある。【００１０】
また、上述したＪＰ特開平７−２５０８０９号公報の体組織の貫通のための装置は、トラカールなどにより、組織を切除し、貫通させて穿刺などする前に、低侵襲で組織の観察を行うことができるが、腹腔内の処置部位を十分に観察することができない。この従来の体組織の貫通のための装置は、体組織の貫通時に通過し易くするため、透明である貫通先端部に螺旋、ブレードなどを設けた構成が開示されているが、これら螺旋、ブレードなどが観察視野内に入って視野を妨げ、作業性が悪くなってしまうという問題がある。【００１１】
そこで、本発明は、上述の事情に鑑みてなされたものであり、その目的とするところは患者への負担を増加させることなく、低侵襲な外科手術が行えることができると共に、有線通信によって高画質でクリアな観察画像を伝送自在であって、体内導入時の作業性が向上する医療装置を提供することである。
【発明の開示】
【課題を解決するための手段】
【００１２】
上記目的を達成すべく、本発明の医療装置は、体内に導入される医療装置であって、前記体内を撮像する撮像ユニットと、外部機器と信号を授受する通信ケーブルと、前記通信ケーブルの端部に配設され、前記外部機器と電気的に接続される電気端子部と、前記電気端子部を覆って装着され、前記電気端子部に着脱自在な防滴キャップと、前記防滴キャップに設けられ、前記体内に導入されている前記通信ケーブルを体外へ引出すための穿刺針が掛止する掛止部と、前記防滴キャップに設けられ、前記穿刺針によって前記体内から前記体外へ前記通信ケーブルを引出すときに、体壁組織を切開する切開部と、を具備することを特徴とする。【００１３】
以上に記載の本発明によれば、患者への負担を増加させることなく、低侵襲な外科手術が行えることができると共に、有線通信によって高画質でクリアな観察画像を伝送自在であって、体内導入時の作業性が向上する医療装置を提供することができる。
【図面の簡単な説明】
【００１４】
【図１】本発明の第１の実施の形態に係り、医療装置である内視鏡システムの構成を示す図
【図２】同、体外装置、及び穿刺針の構成を示す断面図
【図３】同、体外装置の穿刺針の作用を示す部分断面図
【図４】同、腹腔内設置カメラの構成を示す断面図
【図５】同、電気端子部を覆う防滴キャップが装着された電気ケーブルワイヤの端部の構成を示す斜視図
【図６】同、電気端子部から防滴キャップが取り外された状態を示した斜視図
【図７】同、防滴キャップの構成を示す正面図
【図８】同、患者の腹壁にトラカールが穿刺された状態を示す図
【図９】同、腹腔内設置カメラを腹腔内へ導入する手順を説明するための図
【図１０】同、フック針を腹壁に穿刺した状態を示し、腹腔内設置カメラを腹腔内へ留置する手順を説明するための図
【図１１】同、フック針によって、防滴キャップのワイヤを引掛ける前の状態を示し、腹腔内設置カメラを腹腔内へ留置する手順を説明するための図
【図１２】同、防滴キャップのワイヤをフック針により引掛けた状態を示し、腹腔内設置カメラを腹腔内へ導入する手順を説明するための図
【図１３】同、腹腔内設置カメラの電気ケーブルワイヤを引き上げた状態を示し、腹腔内設置カメラを腹壁へ留置する手順を説明するための図
【図１４】同、防滴キャップのエッジによって腹壁を切開し始める状態を示し、腹腔内設置カメラを腹壁へ留置する手順を説明するための図
【図１５】同、防滴キャップのエッジによって腹壁を切開する状態を示し、腹腔内設置カメラを腹壁へ留置する手順を説明するための図
【図１６】同、フック針を引き上げると共に、体外装置をフック針に沿って下ろす状態を示し、腹腔内設置カメラを腹壁へ留置する手順を説明するための図
【図１７】同、体外装置の作用を説明するための断面図
【図１８】同、体外装置が腹部上に設置された状態における、体外装置、及び腹腔内設置カメラの断面図
【図１９】同、電気端子部と通信ケーブルのコネクタを接続する状態を説明するための斜視図
【図２０】同、腹腔内設置カメラが腹壁へ留置された状態を示す内視鏡システムの全体構成図
【図２１】本発明の第２の実施の形態に係り、防滴キャップの構成を示す側面図
【図２２】本発明の第３の実施の形態に係り、電気端子部を覆う防滴キャップが装着された電気ケーブルワイヤの端部の構成を示す斜視図
【図２３】同、防滴キャップの構成を示す正面図
【図２４】本発明の第４の実施の形態に係り、腹腔内設置カメラの構成を示す斜視図
【図２５】同、腹腔内設置カメラの撮影画像を示す図
【図２６】同、変形例の腹腔内設置カメラの構成を示す斜視図
【図２７】同、図２６の腹腔内設置カメラの構成を示す正面図
【図２８】同、図２６の腹腔内設置カメラの撮影画像を示す図
【図２９】本発明の第５の実施の形態に係り、電気端子部と通信ケーブルのコネクタを示す斜視図
【図３０】同、電気端子部内に設けられる電気接点が形成された円弧状のフレキシブル基板の構成を示す斜視図
【図３１】同、１枚構成のフレキシブル基板の作用を説明するための図
【図３２】同、２枚構成のフレキシブル基板の作用を説明するための図
【図３３】同、フレキシブル基板の内方に熱膨張部材を設けた構成を示す斜視図
【図３４】同、フレキシブル基板と熱膨張部材の作用を説明するための図
【図３５】本発明の第６の実施の形態に係り、電気端子部と通信ケーブルのコネクタを示す斜視図
【図３６】同、通信ケーブルのコネクタ内に設けられる熱膨張部材の構成を示す斜視図
【図３７】本発明の第７の実施の形態に係り、電気端子部と通信ケーブルのコネクタを示す斜視図
【図３８】同、変形例の電気端子部と通信ケーブルのコネクタを示す断面図
【発明を実施するための最良の形態】
【００１５】
以下、図面に基づいて本発明の実施形態を説明する。なお、以下の説明において、例えば、腹腔鏡下外科手術を行う、医療機器を備えた医療装置を例示する。  
（第１の実施の形態）
先ず、腹腔鏡下外科手術に用いられる本発明の医療システムである内視鏡システムについて、以下に説明する。なお、図１から図２０は本発明の第１実施形態に係り、図１は医療装置である内視鏡システムの構成を示す図、図２は体外装置、及び穿刺針の構成を示す断面図、図３は体外装置の穿刺針の作用を示す部分断面図、図４は腹腔内設置カメラの構成を示す断面図、図５は電気端子部を覆う防滴キャップが装着された電気ケーブルワイヤの端部の構成を示す斜視図、図６は電気端子部から防滴キャップが取り外された状態を示した斜視図、図７は防滴キャップの構成を示す正面図、図８は患者の腹壁にトラカールが穿刺された状態を示す図、図９は腹腔内設置カメラを腹腔内へ導入する手順を説明するための図、図１０はフック針を腹壁に穿刺した状態を示し、腹腔内設置カメラを腹腔内へ留置する手順を説明するための図、図１１はフック針によって、防滴キャップのワイヤを引掛ける前の状態を示し、腹腔内設置カメラを腹腔内へ留置する手順を説明するための図、図１２は防滴キャップのワイヤをフック針により引掛けた状態を示し、腹腔内設置カメラを腹腔内へ導入する手順を説明するための図、図１３は腹腔内設置カメラの電気ケーブルワイヤを引き上げた状態を示し、腹腔内設置カメラを腹壁へ留置する手順を説明するための図、図１４は防滴キャップのエッジによって腹壁を切開し始める状態を示し、腹腔内設置カメラを腹壁へ留置する手順を説明するための図、図１５は防滴キャップのエッジによって腹壁を切開する状態を示し、腹腔内設置カメラを腹壁へ留置する手順を説明するための図、図１６はフック針を引き上げると共に、体外装置をフック針に沿って下ろす状態を示し、腹腔内設置カメラを腹壁へ留置する手順を説明するための図、図１７は体外装置の作用を説明するための断面図、図１８は体外装置が腹部上に設置された状態における、体外装置、及び腹腔内設置カメラの断面図、図１９は電気端子部と通信ケーブルのコネクタを接続する状態を説明するための斜視図、図２０は腹腔内設置カメラが腹壁へ留置された状態を示す内視鏡システムの全体構成図である。【００１６】
図１に示すように、腹腔鏡下外科手術を行う本実施の形態の内視鏡システム１は、小型なカプセル型の医療装置である腹腔内設置カメラ（以下、カメラと略記する）２と、体内に導入されたカメラ２を体外側から固定保持するためのカメラ固定ユニットである体外装置３と、体外装置３に挿抜自在であって、カメラ２を掛止して引き上げる穿刺針である穿刺手段のフック針４と、画像処理回路が内蔵された信号処理装置であるカメラコントロールユニット（以下、ＣＣＵと略記する）５と、このＣＣＵ５とケーブル１１により電気的に接続され、観察画像を表示する表示装置であるモニタ６と、により主に構成されている。【００１７】
ＣＣＵ５は、カメラ２と電気的に接続される通信ケーブル１２が電気コネクタを介して着脱自在に接続され、この通信ケーブル１２に電気的に接続されるカメラ２から伝送された画像信号を映像信号に生成してモニタ６に出力する。このモニタ６は、例えば、液晶ディスプレイであって、ＣＣＵ５から出力された映像信号を受けて、カメラ２による観察画像を画面上に表示する。また、ＣＣＵ５は、体外装置３と電気ケーブル１３により着脱自在に接続されている。【００１８】
次に、体外装置３、及びフック針４について、図２、及び図３を用いて、以下に詳しく説明する。  
体外装置３は、図２、及び図３に示すように、カメラ２を体腔内で牽引して固定するカメラ固定ユニットであり、筐体２１内に受信機２２、及びこの受信機２２と電気的に接続された電気コネクタ部２３が内蔵されている。【００１９】
この電気コネクタ部２３は、ＣＣＵ５に接続される電気ケーブル１３に接続されている。体外装置３は、電気ケーブル１３を介して、ＣＣＵ５からの電源、及び受信機２２からの信号をＣＣＵ５へ伝送する。【００２０】
筐体２１には、側面から横方向にスライド穴部２４が形成されている。このスライド穴部２４には、付勢バネ２５が端面に固定された非磁性体から形成された固定部を構成する固定レバー２６が挿通配置されている。この固定レバー２６は、略直方体形状をしており、筐体２１の内部方向へスライド穴部２４に沿ってスライド自在に配設されている。また、固定レバー２６は、その中途部に、付勢バネ２５側に凸状の円弧面２７ａを備えた孔部２７が形成されている。【００２１】
筐体２１には、上下に貫通する挿通部２８が形成されている。この挿通部２８は、筐体２１の上面開口となり、上部に拡がるように円錐状のテーパ面２９が形成されている。【００２２】
以上のように構成された体外装置３には、固定レバー２６の孔部２７と挿通部２８が一致するように固定レバー２６が筐体２１内に押し込まれたスライド位置において、上下方向に貫通する孔にフック針４が挿抜自在に挿通配置される。【００２３】
体外装置３に挿通自在なフック針４は、円筒状の穿刺針管３１と、この穿刺針管３１の上部に連設された針ヘッド３２と、穿刺針管３１内にスライド自在に挿通するフック部３４が先端に形成された穿刺ロッド３３と、この穿刺ロッド３３の上部に連設されたフックヘッド３５と、このフックヘッド３５と針ヘッド３２の間に介装されたバネ３６と、を有して構成されている。【００２４】
穿刺針管３１は、先端が斜めに切断された鋭利な針状に形成された、直径がおよそ、３ｍｍの細長な金属管体である。針ヘッド３２は、穿刺針管３１よりも外径が大きく、先端側が円錐状に形成されて穿刺針管３１と一体形成されている。この針ヘッド３２は、筐体２１の上部に形成されたテーパ面２９に当接することで、フック針４が筐体２１の下方へ抜け落ちないよう構成されている。【００２５】
穿刺ロッド３３は、細長な金属製の棒体であり、上部に連設されたフックヘッド３５がバネ３６によって、針ヘッド３２から離反する方向に付勢されている。これにより、穿刺ロッド３３は、先端に形成されたフック部３４が穿刺針管３１内に収容されている。【００２６】
また、フック針４は、ユーザによって、フックヘッド３５がバネ３６の付勢力に抗して（図３の矢印Ｆ）、穿刺針管３１へ押し込まれると、先端に形成されたフック部３４が穿刺針管３１の先端から突出する。【００２７】
このように構成されたフック針４は、筐体２１の挿通部２８、及び固定レバー２６の孔部２７に挿通配置された状態において、固定レバー２６が付勢バネ２５の付勢力によって、筐体２１の外側方向への押圧力により、筐体２１に挿通固定される。つまり、フック針４は、穿刺針管３１の外周面が固定レバー２６の孔部２７の一側面に形成された円弧面２７ａにより、押圧されて、挿通部２８の内面と当接することで筐体２１に挿通した状態で固定される。【００２８】
次に、カメラ２について、図４を用いて、以下に詳しく説明する。  
カメラ２は、図４に示すように、カプセル型の筐体部を構成する外装部４１と、この外装部４１の一側部から突起した板状の把持部４２と、外装部４１の上部中央から延設された通信手段である通信ケーブルワイヤ４３と、を有している。【００２９】
外装部４１は、制御部４４と、送信機４５と、バッテリ４６と、２つの電磁コイル４７，４８と、撮像部であるカメラユニットを構成し、内部に撮像手段である撮像ユニット５０と、照明光の光源となるＬＥＤ、有機ＥＬなどから構成された小型で低消費電力な照明ユニットを構成する複数の照明部５７と、が内部に設けられている。【００３０】
制御部４４は、送信機４５、撮像ユニット５０、および照明部５７と電気的に接続されている。なお、制御部４４は、各構成を駆動制御するため、バッテリ４６、または通信ケーブルワイヤ４３を介して駆動電源が入力される。また、制御部４４は、一方の電磁コイル４８とも電気的に接続されている。他方の電磁コイル４７は、通信ケーブルワイヤ４３内に挿通する配線の１つが接続されている。【００３１】
撮像ユニット５０は、ＣＣＤ、ＣＭＯＳなどの固体撮像素子５５と、この固体撮像素子５５を駆動制御し、固体撮像素子５５に入射された撮影光を光電変換する撮像素子駆動回路部５５ａと、固体撮像素子５５に撮影光を集光する対物レンズ群５６と、この対物レンズ群５６を保持するレンズ保持枠５６ａと、を有して主に構成されている。なお、本実施の形態の撮像ユニット５０は、その撮影可能な画角が例えば、１２０°以上となるように、広角な視野範囲を撮像する撮像光学系が設定されている。また、撮像ユニット５０は、ズーム機能などを有していても良い。【００３２】
照明部５７は、駆動制御される照明駆動回路部５７ａ上に配置されている。なお、外装部４１には、撮像ユニット５０、及び各照明部５７を気密保持してカバーする透明な観察窓、及び照明窓を構成するサファイアガラスなどから形成されたカバー部材５１，５８が配設されている。これらカバー部材５１，５８は、外装部４１の下部に配設されている。【００３３】
また、カメラ２は、通信ケーブルワイヤ４３に電力が供給されると、電磁コイル４７に電流が供給され、この電磁コイル４７で発生する磁力によって、もう一方の電磁コイル４８で発生した誘導電流が制御部４４に入力される。そして、制御部４４は、内部に図示しない切替スイッチが設けられており、電磁コイル４８から誘導電流が入力されると、バッテリ４６による電力供給から通信ケーブルワイヤ４３を介して電力供給を受けるように内部のスイッチを切替える構成となっている。【００３４】
なお、通信ケーブルワイヤ４３は、カメラ２内の制御部４４への各種指示信号、撮像ユニット５０からの撮像信号などをＣＣＵ５と授受するための通信ケーブルである。【００３５】
次に、図５〜図７を用いて、カメラ２の外装部４１から延設された通信ケーブルワイヤ４３の延出端に設けられる電気端子部、及び電気端子部を被覆するカバー部材について、以下に詳しく説明する。  
通信ケーブルワイヤ４３は、図５、及び図６に示すように、延出端に電気接続手段である電気端子部６１が設けられている。この電気端子部６１は、先端側に外径が小さくなるように形成された円柱形状の雄型端子６２を有した雄型コネクタである。この雄型端子６２は、ＣＣＵ５に接続された通信ケーブル１２の端部に設けられた雌型のコネクタ１４（図１参照）と電気的に接続自在な構成となっている。【００３６】
また、電気端子部６１の雄型端子６２は、外周部の周方向に複数の電気接点６３が設けられ、根元部分にネジ溝６４が形成されている。この電気端子部６１には、雄型端子６２を覆うように防滴手段である防滴キャップ６０が装着される。このように雄型端子６２は、防滴キャップ６０が装着されて覆われることで防滴（及び防塵）される。【００３７】
この防滴キャップ６０は、略筒状をしたカバー体６５と、このカバー体６５の先端を閉塞する半球状に形成された先端面６５ａと、を有している。この先端面６５ａには、図５〜図７に示すように、組織切開のための刃状部材である切開部を構成する切開手段のエッジ６６が設けられている。【００３８】
このエッジ６６は、先端面６５ａの表面中央部を通るように一直線上に配置され、側面から見たときに先端面６５ａの表面形状に沿った円弧状に形成されている。また、防滴キャップ６０は、カバー体６５の側周部から前方へ向けてループ状の掛止部である掛止手段のワイヤ６７が配設されている。【００３９】
そして、カバー体６５には、ワイヤ６７の各端部を外周部の２箇所で固定する２つの固定部６８が設けられている。このワイヤ６７は、内視鏡用処置具のスネアー鉗子に用いられているような金属ワイヤ、非金属製の弾性体リングなどから形成されている。【００４０】
なお、防滴キャップ６０は、カバー体６５が雄型端子６２の根元部分に形成されたネジ溝６４に螺合することで、電気端子部６１に装着されて、電気端子部６１からの脱落が防止される。また、防滴キャップ６０は、電気端子部６１からの脱落を防止する構成として、螺着に限定することなく、例えば、電気端子部６１、または（及び）カバー体６５に磁石を設けて、磁力による引力によって電気端子部６１から脱落することを防止した構成としても良い。【００４１】
以上のように構成された本実施の形態の内視鏡システム１は、腹腔鏡下外科手術に用いられ、患者の体腔の１つである腹腔内の治療に用いられる。  
ここで、腹腔鏡下外科手術のため、本実施の形態の内視鏡システム１のカメラ２を患者の体腔である腹腔へ設置する手順、及び作用について、図８から図２０を用いて、以下に詳しく説明する。【００４２】
先ず、術者は、患者１００の腹壁１０２にメスなどにより小さな切開部を処置し、図８に示すように、これら切開部にトラカール１１０を穿刺する。【００４３】
なお、術者は、図２、及び図３に示したように、体外装置３に設けられた挿通部２８にフック針４の穿刺針管３１を挿入する。このとき、術者は、穿刺針管３１が体外装置３を貫通するように、固定レバー２６を筐体２１内に押し込み、固定レバー２６の孔部２７に穿刺針管３１が貫通するように挿入する。また、体外装置３は、電気ケーブル１３の電気コネクタがＣＣＵ５と接続されている状態である。【００４４】
そして、術者は、体外装置３が十分に穿刺針管３１の手元側となる針ヘッド３２側に位置して体外装置３の下面から穿刺針管３１を十分に突出させる（図２、及び図３参照）。この状態において、体外装置３は、固定レバー２６に付勢バネ２５の付勢力によって、固定レバー２６の孔部２７の一壁面である円弧面２７ａが穿刺針管３１に当接して抑えることで、穿刺針管３１から抜け落ちないようになっている。【００４５】
次に、術者は、把持鉗子などの処置具１２０によって、カメラ２の把持部４２を把持して、腹壁１０２に穿刺したトラカール１１０を介してカメラ２を腹腔１０１内に導入する。なお、術者は、カメラ２の通信ケーブルワイヤ４３の電気端子部６１に防滴キャップ６０を予め装着しておく。【００４６】
術者は、カメラ２を腹腔１０１内に導入後、図９、及び図１０に示すように、腹腔１０１内における腹壁１０２の壁面方向を撮影できるように、カメラ２の観察方向を向ける。そして、術者は、カメラ２による撮影画像をモニタ６によって確認しながら、体外装置３に挿通保持された状態のフック針４の穿刺針管３１が腹壁１０２を貫通するように穿刺する。このときのカメラ２は、バッテリ４６からの電源で駆動しており、撮像ユニット５０で撮像した画像信号を送信機４５から体外装置３の受信機２２へ無線通信している。【００４７】
そして、術者は、穿刺針管３１から穿刺ロッド３３を導出するため、フックヘッド３５を押し込む（図３参照）。このときに、術者は、図１１に示すように、カメラ２の観察方向を変更して、通信ケーブルワイヤ４３の端部に装着された防滴キャップ６０のワイヤ６７の位置を確認する。なお、図１１においては、腹壁１０２方向である上方を撮影しているカメラ２を反転した、下方側を撮影している状態を示している。【００４８】
術者は、モニタ６に表示されたカメラ２による観察画像を確認しながら、図１２に示すように、穿刺ロッド３３に形成されたフック部３４を防滴キャップ６０のワイヤ６７に引掛ける。そして、術者は、フック部３４に防滴キャップ６０のワイヤ６７が引掛かったら、穿刺ロッド３３のフックヘッド３５の押し込みを開放する。すると、穿刺ロッド３３は、フック部３４にワイヤ６７を引掛けた状態で、穿刺針管３１内へ導入される。【００４９】
次に、術者は、図１３に示すように、穿刺ロッド３３のフック部３４に防滴キャップ６０のワイヤ６７を掛止した状態で、フック針４の穿刺針管３１を腹腔１０１から体外へ引き抜く。さらに、術者は、防滴キャップ６０が装着された通信ケーブルワイヤ４３が腹壁１０２を貫通して体外へ延出するように、フック針４を体外側へ、さらに牽引する。【００５０】
防滴キャップ６０は、腹壁１０２の壁面に到達した後、図１４、及び図１５に示すように、エッジ６６が腹壁１０２の組織を剥離切開しながら、フック針４の穿刺によって形成された腹壁１０２の穿刺孔１０３を通過する。そのため、術者は、腹壁１０２に引掛かることなく容易に貫通して体外に取り出される。これにより、術者は、防滴キャップ６０と、この防滴キャップ６０が装着された通信ケーブルワイヤ４３を腹腔１０１内から穿刺孔１０３を介して体外へ引出すとき、腹壁１０２を容易に通過させることができる。【００５１】
そして、術者は、図１６に示すように、通信ケーブルワイヤ４３を牽引すると共に、体外装置３を患者１００の腹部方向（図中、ＤＯＷＮ方向）へ穿刺針管３１に対して相対移動させて、体外装置３の挿通部２８に防滴キャップ６０が装着された通信ケーブルワイヤ４３が貫挿するまで穿刺針管３１を牽引する。【００５２】
このとき、術者は、体外装置３の固定レバー２６を筐体２１内側（図１７の矢印Ｐ方向）へ押し込むことで、容易に体外装置３をフック針４の穿刺針管３１に対して相対的にスライドさせることができる。そして、術者は、体外装置３の挿通部２８に通信ケーブルワイヤ４３が貫挿したら、通信ケーブルワイヤ４３を牽引しながら、体外装置３を患者１００の腹部方向へ、今度は通信ケーブルワイヤ４３に対して相対移動させる。【００５３】
つまり、術者は、体外装置３の固定レバー２６を筐体２１内側へ押し込む状態を維持することで、容易に体外装置３を通信ケーブルワイヤ４３に対して相対的にスライドさせることができる。【００５４】
そして、術者は、図１８に示すように、体外装置３が患者１００の腹部上に載置した状態で、体外装置３とカメラ２が腹壁１０２を挟んだ状態となるまで、通信ケーブルワイヤ４３を牽引する。このとき、術者は、カメラ２の上部を腹壁１０２内面に十分に密着させ、体外装置３の固定レバー２６の押し込みを開放する。【００５５】
すると、体外装置３の固定レバー２６は、付勢バネ２５の付勢力を受けて、図１８に示す、矢印Ｒ方向へ移動し、孔部２７が筐体２１の挿通部２８とずれた状態となる。これら孔部２７、及び挿通部２８に挿通している通信ケーブルワイヤ４３は、挟まれた状態となり、筐体２１に係止される。このとき、通信ケーブルワイヤ４３に常に一定以上の張力がかかっていることになる。これにより、体外装置３とカメラ２は、通信ケーブルワイヤ４３にかかっている常に一定以上の張力が保たれて、腹壁１０２を挟んだ状態が保持されて、カメラ２が腹腔１０１内の腹壁１０２内面に固定される。【００５６】
そして、術者は、体外に取り出した通信ケーブルワイヤ４３の端部に装着された防滴キャップ６０を取り外す。そして、術者は、通信ケーブルワイヤ４３の電気端子部６１をＣＣＵ５に接続されている通信ケーブル１２のコネクタ１４に接続させる（図１９参照）。【００５７】
すると、カメラ２は、図４に示した、内部の電磁コイル４７に通信ケーブルワイヤ４３から電流が供給される。電磁コイル４７には、電流が流れることで磁力が発生して、もう一方の電磁コイル４８に発生した誘導電流が制御部４４に入力される。【００５８】
制御部４４は、電磁コイル４８に発生した誘導電流を受けて、内部の切替スイッチを切替て、バッテリ４６による電力供給から通信ケーブルワイヤ４３からの電力供給が行なわれる。【００５９】
こうして、図２０に示すように、カメラ２が患者１００の腹腔１０１内に、確りと安定した状態で留置され、本実施の形態の内視鏡システム１により、腹腔鏡下外科手術が行われる。なお、例えばトラカール１１０には、図示しない気腹チューブの一端部が取り付けられ、腹腔１０１内にはカメラ２の視野を確保する目的、及び腹腔１０１へ導入される手術器具などを操作するための領域を確保する目的とした気腹用気体として、例えば二酸化炭素ガスなどが注入されている。そして、術者は、カメラ２を腹腔１０１内で腹壁１０２に引き上げて留置した状態で、トラカール１１０に処置具１２０を挿通して、腹腔鏡下外科手術を行う。【００６０】
なお、術者は、腹腔鏡下外科手術を終えると、体外装置３の固定レバー２６を筐体２１内側へ押し込みながら、体外装置３を防滴キャップ６０のワイヤ６７から引き抜く。そして、術者は、腹腔１０１内のカメラ２を把持鉗子などの処置具１２０で把持して、トラカール１１０を介して、腹腔１０１から体外へ取り出す。【００６１】
以上に述べた本実施の形態の内視鏡システム１によれば、カメラ２によって、体腔内、ここでは腹腔１０１内の体内組織が広角で観察することができ、例えば、大きな臓器の手術、または大腸切除の際の切除ライン全体を容易に把握できる。また、内視鏡システム１は、腹腔１０１内に導入されるカメラ２を設置するときに、患者への負担を増加することなく、低侵襲な外科手術が行える。【００６２】
以上の結果、本発明の内視鏡システム１を使用することで、腹腔鏡下外科手術による処置が容易となる。また、内視鏡システム１は、腹壁１０２に複数のトラカールを穿刺する必要がなく、患者１００に負担をかけることなく、低侵襲な腹腔鏡下外科手術を行なえる。【００６３】
さらに、内視鏡システム１は、カメラ２を腹腔１０１内へ導入時に、このカメラ２の各種信号を有線伝送する通信ケーブルワイヤ４３の電気端子部６１が防滴キャップ６０によって覆われているため、電気端子部６１の電気接点６３を腹腔１０１内で露出させなくて良くなる。そのため、電気接点６３は、高湿である腹腔１０１内で晒されることがなく、腹腔１０１内で血液、体液などの付着も防止され、劣化、腐食などの発生が抑制される。【００６４】
また、防滴キャップ６０には、カメラ２を腹腔１０１へ導入して、通信ケーブルワイヤ４３を腹腔１０１内から体外に取り出すときに、限られた空間である腹腔１０１内での作業性を向上させるため、フック針４の穿刺ロッド３３の先端に配されたフック部３４が掛止し易いように、ループ状のワイヤ６７が設けられている。さらに、防滴キャップ６０には、腹壁１０２を切開して貫通し易いように、エッジ６６が設けられている。【００６５】
この防滴キャップ６０を通信ケーブルワイヤ４３の電気端子部６１に装着することによって、術者であるユーザは、カメラ２の通信ケーブルワイヤ４３を腹腔１０１内から体外に容易に引出すことができ、手技の作業性が向上する。【００６６】
さらに、内視鏡システム１のカメラ２は、腹腔１０１への導入時以外の手技中において、通信ケーブルワイヤ４３による体外のＣＣＵ５との有線通信が行なえるため、高画質の観察画像で腹腔１０１内を撮影できる撮像ユニット５０を用いることができる。【００６７】
以上から、本実施の形態の内視鏡システム１は、患者への負担を増加させることなく、低侵襲な外科手術が行えることができると共に、体内に導入されるカメラ２を有線通信によって高画質でクリアな観察画像を伝送することができ、ユーザによる手技の作業性も向上させることができる。【００６８】
（第２の実施の形態）
次に、図２１用いて、本発明の内視鏡システムに係る第２の実施の形態について、以下に説明する。なお、図２１は、本発明の第２の実施の形態に係り、防滴キャップの構成を示す側面図である。また、以下の説明において、上述した第１の実施の形態の内視鏡システム１と同一の構成について同じ符号を用い、それら構成の詳細な説明を省略する。【００６９】
図２１に示すように、本実施の形態の防滴キャップ６０は、通信ケーブルワイヤ４３の直径（外径）ｄ１よりも大きな直径（外径）ｄ２，（ｄ１＜ｄ２）を有している。  
すなわち、防滴キャップ６０は、電気端子部６１に装着された状態において、カバー体６５の外径のほうが通信ケーブルワイヤ４３の外径よりも大きくなっており、腹壁１０２の穿刺孔１０３（図１３〜図１５参照）に通信ケーブルワイヤ４３が通過し易くなる。【００７０】
つまり、腹壁１０２の穿刺孔１０３は、組織を切開する防滴キャップ６０のエッジ６６によって、通信ケーブルワイヤ４３の直径ｄ１よりも大きい孔となって、さらに直径ｄ２のカバー体６５が通過して拡げられる。そのため、通信ケーブルワイヤ４３は、カバー体６５が通過して拡げられた穿刺孔１０３に容易に通過することができる。【００７１】
このように、防滴キャップ６０の直径ｄ２を通信ケーブルワイヤ４３の直径ｄ１よりも大きくすることで、術者は、腹腔１０１内から体外へ通信ケーブルワイヤ４３を引出すときに、通信ケーブルワイヤ４３が腹壁１０２の穿刺孔１０３に容易に通過させることができる。【００７２】
（第３の実施の形態）
次に、図２２、及び図２３用いて、本発明の内視鏡システムに係る第３の実施の形態について、以下に説明する。なお、図２２、及び図２３は、本発明の第３の実施の形態に係り、図２２は電気端子部を覆う防滴キャップが装着された電気ケーブルワイヤの端部の構成を示す斜視図、図２３は防滴キャップの構成を示す正面図である。また、以下の説明においても、上述した第１の実施の形態の内視鏡システム１と同一の構成について同じ符号を用い、それら構成の詳細な説明を省略する。【００７３】
図２２に示すように、本実施の形態の防滴キャップ６０は、先端部分を円錐形状にして、円錐状の先端面６５ｂが形成され、この先端面６５ｂの外周回りなど間隔に４つのエッジ６６ａが配設されている。なお、これら４つのエッジ６６ａは、４つに限定することなく、複数であれば良い。【００７４】
このように構成された、本実施の形態の防滴キャップ６０は、腹壁１０２の穿刺孔１０３に通過するとき、先端面６５ｂが円錐形状であるため、穿刺孔１０３に導入し易くなる。そして、防滴キャップ６０は、腹壁１０２の穿刺孔１０３を、さらに複数、ここでは４つのエッジ６６ａによって、腹壁１０２の組織を切開して拡げるため、穿刺孔１０３に通過し易く、腹壁１０２への貫通性が向上する構成となっている。【００７５】
（第４の実施の形態）
次に、図２４から図２８用いて、本発明の内視鏡システムに係る第４の実施の形態について、以下に説明する。なお、図２４から図２８は、本発明の第４の実施の形態に係り、図２４は腹腔内設置カメラの構成を示す斜視図、図２５は腹腔内設置カメラの撮影画像を示す図、図２６は変形例の腹腔内設置カメラの構成を示す斜視図、図２７は図２６の腹腔内設置カメラの構成を示す正面図、図２８は図２６の腹腔内設置カメラの撮影画像を示す図である。また、以下の説明においても、上述した第１の実施の形態の内視鏡システム１と同一の構成について同じ符号を用い、それら構成の詳細な説明を省略する。【００７６】
図２４に示すように、本実施の形態のカメラ２は、通信ケーブルワイヤ４３を保持するケーブル保持部を構成するケーブルフック４１ａが外装部４１に設けられている。このケーブルフック４１ａは、カメラ２による撮影視野外における、観察窓であるカバー部材５１の近傍に配設されている。なお、このケーブルフック４１ａは、通信ケーブルワイヤ４３が引掛けられ、ある程度の保持力で通信ケーブルワイヤ４３を保持することができる。【００７７】
このケーブルフック４１ａが設けられたカメラ２は、腹腔１０１内へ導入前に、術者によって、通信ケーブルワイヤ４３の防滴キャップ６０が装着された端部近傍がケーブルフック４１ａに引掛けられて、通信ケーブルワイヤ４３を保持する。このとき、術者は、防滴キャップ６０のワイヤ６７がカバー部材５１の表面上に所定の距離で離間する位置に通信ケーブルワイヤ４３をケーブルフック４１ａに引掛けて保持させる。【００７８】
このように、ケーブルフック４１ａが設けられたカメラ２は、常に観察視野内で防滴キャップ６０のワイヤ６７を撮影することができる。そのため、術者は、図２５に示すように、モニタ６に表示されるカメラ２の観察画像に常に防滴キャップ６０のワイヤ６７が表示され、ワイヤ６７の位置を探すことなく、フック針４のフック部３４にワイヤ６７を容易に引掛けることができる。フック針４のフック部３４にワイヤ６７が引掛かった後は、フック針４を牽引などの操作によって、ケーブルフック４１ａによる通信ケーブルワイヤ４３の保持を容易に外すことができる。【００７９】
なお、図２６、及び図２７に示すように、カメラ２の外装部４１に、防滴キャップ６０のワイヤ６７を引掛けて保持するＵ字状のワイヤ固定部７１を設けても良い。このワイヤ固定部７１は、観察窓であるカバー部材５１側に２つの端部が位置するように、カメラ２の外装部４１の外周に沿って装着されている。また、ワイヤ固定部７１には、Ｕ字形状に沿って引掛けられるワイヤ６７を保持し易いように、外方の表面に凹部７２が形成されている。【００８０】
このワイヤ固定部７１に保持されたワイヤ６７は、図２７に示すように、ワイヤ固定部７１の両端部から直線状となって、カバー部材５１の前方に配置される。このような構成としても、カメラ２は、常に観察視野内でワイヤ固定部７１に保持された防滴キャップ６０のワイヤ６７を撮影することができる。【００８１】
そのため、術者は、図２８に示すように、ここでも常時、モニタ６画面上に防滴キャップ６０のワイヤ６７が表示され、ワイヤ６７の位置を探すことなく、フック針４のフック部３４にワイヤ６７を容易に引掛けることができる。また、フック針４のフック部３４にワイヤ６７が引掛かった後は、フック針４を牽引などの操作によって、ワイヤ固定部７１に保持されたワイヤ６７を容易に外すことができる。【００８２】
（第５の実施の形態）
次に、図２９から図３４用いて、本発明の内視鏡システムに係る第５の実施の形態について、以下に説明する。なお、図２９から図３４は、本発明の第５の実施の形態に係り、図２９は電気端子部と通信ケーブルのコネクタを示す斜視図、図３０は電気端子部内に設けられる電気接点が形成された円弧状のフレキシブル基板の構成を示す斜視図、図３１は１枚構成のフレキシブル基板の作用を説明するための図、図３２は２枚構成のフレキシブル基板の作用を説明するための図、図３３はフレキシブル基板の内方に熱膨張部材を設けた構成を示す斜視図、図３４はフレキシブル基板と熱膨張部材の作用を説明するための図である。また、以下の説明においても、上述した第１の実施の形態の内視鏡システム１と同一の構成について同じ符号を用い、それら構成の詳細な説明を省略する。【００８３】
図２９に示す、電気端子部６１は、図３０に示す、複数の電気接点６３が外周部に設けられた円弧形状のフレキシブル基板７５が雄型端子６２内に配設されている。  
雄型端子６２は、ここでは中空であって、内部に配設されたフレキシブル基板７５上の複数の電気接点６３が突没できるように、複数の電気接点６３の位置に合わせて複数の孔部６２ａが形成されている。【００８４】
なお、フレキシブル基板７５には、複数の電気接点６３と電気的に夫々が接続する複数の信号線６３ａが延設されている。また、フレキシブル基板７５は、図３１に示すように、常に外周方向に膨らむよう付勢する状態となるように、雄型端子６２内に設けられている。すなわち、フレキシブル基板７５上に設けられた複数の電気接点６３は、フレキシブル基板７５の外周方向への付勢によって、雄型端子６２の複数の孔部６２ａから突出される。【００８５】
また、フレキシブル基板７５は、図３１に示したように、１枚構成に限定することなく、図３２に示すように、円弧状の２枚構成としても良い。【００８６】
さらに、図３３、及び図３４に示すように、フレキシブル基板７５の内方に、円柱形の熱膨張部材７６を設けても良い。この熱膨張部材７６は、ヒートパイプケーブルなどの伝熱線７６ａと接続されており、この伝熱線７６ａから熱が伝達されることで温度上昇して膨張する。なお、伝熱線７６ａは、カメラ２内の撮像ユニット５０、制御部４４などの各種電気装置で発生した熱を熱膨張部材７６に伝熱している。【００８７】
このように、熱膨張部材７６をフレキシブル基板７５の内方に設けることで、フレキシブル基板７５が確実に外周方向へ付勢され、複数の電気接点６３が雄型端子６２の複数の孔部６２ａから確実に突出される。なお、フレキシブル基板７５を図３２に示したように２枚構成として、これらフレキシブル基板７５の内方に熱膨張部材７６を設けても勿論良い。【００８８】
以上のように、電気端子部６１の雄型端子６２の外周面から複数の電気接点６３が突没し、これら複数の電気接点６３を外方へ常に付勢する構成とすることで、雄型端子６２と通信ケーブル１２のコネクタ１４とを接続した状態では、複数の電気接点６３とコネクタ１４内の電気接点（不図示）が確実に接触するようになる。したがって、雄型端子６２とコネクタ１４とは、電気的な接触不良が防止される。【００８９】
（第６の実施の形態）
次に、図３５、及び図３６用いて、本発明の内視鏡システムに係る第６の実施の形態について、以下に説明する。なお、図３５、及び図３６は、本発明の第６の実施の形態に係り、図３５は電気端子部と通信ケーブルのコネクタを示す斜視図、図３６は通信ケーブルのコネクタ内に設けられる熱膨張部材の構成を示す斜視図である。また、以下の説明においても、上述した第１の実施の形態の内視鏡システム１と同一の構成について同じ符号を用い、それら構成の詳細な説明を省略する。【００９０】
図３６に示すように、通信ケーブル１２のコネクタ１４内には、スリット７７ａが長手方向に形成された円筒部材７７が設けられている。この円筒部材７７は、コネクタ１４に接続される電気端子部６１の雄型端子６２の外周部を締め付けるような付勢力が生じるように、内径寸法が設定されている。【００９１】
つまり、円筒部材７７は、コネクタ１４に雄型端子６２が挿着されると、スリット７７ａが形成されているため内径が拡がり、雄型端子６２に向かった内方へ収縮する付勢力が生じる。そのため、雄型端子６２は、コネクタ１４内で締め付けられ、複数の電気接点６３とコネクタ１４内の電気接点（不図示）が確実に接触するようになる。したがって、雄型端子６２とコネクタ１４とは、電気的な接触不良が防止される。【００９２】
なお、図３６に示すように、通信ケーブル１２のコネクタ１４内に、スリット７８ａが長手方向に形成された円筒状の熱膨張部材７８を設けても良い。この熱膨張部材７８は、外周部がコネクタ１４の内面に当接して配置されており、伝熱線７８ｂに接続されている。【００９３】
伝熱線７８ｂは、通信ケーブル１２内に配設され、通信ケーブル１２が接続するＣＣＵ５で発生する熱を熱膨張部材７８に伝熱する。こうして、熱が伝熱されて温度上昇した熱膨張部材７８は、外周部がコネクタ１４の内面に押さえられるため、内径方向にのみ膨張する。【００９４】
そのため、熱膨張部材７８は、コネクタ１４に雄型端子６２が挿着されている状態において、雄型端子６２に向かった内方へ膨張して、雄型端子６２をコネクタ１４内で締め付ける。したがって、複数の電気接点６３とコネクタ１４内の電気接点（不図示）が確実に接触するようになり、雄型端子６２とコネクタ１４とは、電気的な接触不良が防止される。【００９５】
（第７の実施の形態）
次に、図３７、及び図３８用いて、本発明の内視鏡システムに係る第７の実施の形態について、以下に説明する。なお、図３７、及び図３８は、本発明の第７の実施の形態に係り、図３７は電気端子部と通信ケーブルのコネクタを示す斜視図、図３８は変形例の電気端子部と通信ケーブルのコネクタを示す断面図である。また、以下の説明においても、上述した第１の実施の形態の内視鏡システム１と同一の構成について同じ符号を用い、それら構成の詳細な説明を省略する。【００９６】
図３７に示すように、電気端子部６１の雄型端子６２は、長手方向に凸部６２ｂが形成されている。そして、通信ケーブル１２のコネクタ１４は、雄型端子６２と同一形状の穴形成された係合部１４ａを有している。【００９７】
このような構成により、コネクタ１４と雄型端子６２との接続時に、雄型端子６２の装着方向が規定され、電気接点６３の誤接続が防止される。【００９８】
また、図３８に示すように、雄型端子６２は、先端外周部に円環状の第１の磁性体８１、及び先端中央から突起する棒状の第２の磁性体８２を有し、これら磁性体８１，８２と吸着する第３、及び第４の磁性体８３，８４を通信ケーブル１２のコネクタ１４に設けても良い。【００９９】
詳述すると、コネクタ１４は、雄型端子６２の外形状に一致する係合穴部８５が形成されている。この係合穴部８５には、雄型端子６２の第１の磁性体８１が挿通配置される周囲に円環状の第３の磁性体８３が設けられ、雄型端子６２の第２の磁性体８２が挿通配置される周囲に円環状の第４の磁性体８４が設けられている。また、係合穴部８５は、雄型端子６２の電気接点６３が挿通配置される位置に電気接点６９が設けられている。【０１００】
このように、雄型端子６２がコネクタ１４に挿着されると、第１の磁性体８１と第３の磁性体８３、及び第２の磁性体８２と第４の磁性体８４のそれぞれが互いに吸着して、雄型端子６２がコネクタ１４から離脱することが防止される。さらに、第２の磁性体８２が棒状であり、コネクタ１４の第４の磁性体８２に挿通配置するため、コネクタ１４に挿着する雄型端子６２の軸合わせも容易に行える。【０１０１】
以上の各実施の形態に記載した発明は、その実施の形態、及び変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。【０１０２】
例えば、実施の形態に示される全構成要件から幾つかの構成要件が削除されても、発明が解決しようとする課題が解決でき、発明の効果で述べられている効果が得られる場合には、この構成要件が削除された構成が発明として抽出され得る。【０１０３】
本出願は、２００９年８月２４日に日本国に出願された特願２００９−１９３４７９号を優先権主張の基礎として出願するものであり、上記の内容は、本願明細書、請求の範囲、および図面に引用されたものである。【０１０４】
なお、本発明には、以下の特徴を備えている。【０１０５】
（付記）
医療装置を体内に導入する手技方法であって、
前記医療装置に設けられた外部機器と信号を授受する通信ケーブルの端部に設けられた電気端子部に防滴キャップを装着し、
前記医療機器を前記体内に導入し、
前記医療機器が導入された前記体内へ体壁を貫通するように穿刺針を穿刺し、
前記防滴キャップに設けられた掛止部を前記撮像ユニットで撮影しながら、前記穿刺針のフックを前記掛止部に掛止し、
前記穿刺針を前記体内から体外へ引出し、
前記防滴キャップに設けられた切開部によって、前記体壁を切開しながら、前記通信ケーブルを前記体内から前記体外へ引出し、
前記防滴キャップを前記電気端子部から取り外し、
前記電子端子部を前記外部機器に電気的に接続する。
【図１】
2011024515.tif 000003
【図２】
2011024515.tif 000004
【図３】
2011024515.tif 000005
【図４】
2011024515.tif 000006
【図５】
2011024515.tif 000007
【図６】
2011024515.tif 000008
【図７】
2011024515.tif 000009
【図８】
2011024515.tif 000010
【図９】
2011024515.tif 000011
【図１０】
2011024515.tif 000012
【図１１】
2011024515.tif 000013
【図１２】
2011024515.tif 000014
【図１３】
2011024515.tif 000015
【図１４】
2011024515.tif 000016
【図１５】
2011024515.tif 000017
【図１６】
2011024515.tif 000018
【図１７】
2011024515.tif 000019
【図１８】
2011024515.tif 000020
【図１９】
2011024515.tif 000021
【図２０】
2011024515.tif 000022
【図２１】
2011024515.tif 000023
【図２２】
2011024515.tif 000024
【図２３】
2011024515.tif 000025
【図２４】
2011024515.tif 000026
【図２５】
2011024515.tif 000027
【図２６】
2011024515.tif 000028
【図２７】
2011024515.tif 000029
【図２８】
2011024515.tif 000030
【図２９】
2011024515.tif 000031
【図３０】
2011024515.tif 000032
【図３１】
2011024515.tif 000033
【図３２】
2011024515.tif 000034
【図３３】
2011024515.tif 000035
【図３４】
2011024515.tif 000036
【図３５】
2011024515.tif 000037
【図３６】
2011024515.tif 000038
【図３７】
2011024515.tif 000039
【図３８】
2011024515.tif 000040
【手続補正書】
【提出日】平成22年7月16日(2010.7.16)
【手続補正１】
【補正対象書類名】明細書
【補正対象項目名】００１２
【補正方法】変更
【補正の内容】
【００１２】
上記目的を達成すべく、本発明の一様態の医療装置は、体内に導入される医療装置であって、前記体内を撮像する撮像ユニットと、外部機器と信号を授受する通信ケーブルと、前記通信ケーブルの端部に配設され、前記外部機器と電気的に接続される電気端子部と、前記電気端子部を覆って装着され、前記電気端子部に着脱自在な防滴キャップと、前記防滴キャップに設けられ、前記体内に導入されている前記通信ケーブルを体外へ引出すための穿刺針が掛止する掛止部と、前記防滴キャップに設けられ、前記穿刺針によって前記体内から前記体外へ前記通信ケーブルを引出すときに、体壁組織を切開する切開部と、を具備することを特徴とする。
また、本発明の他の様態の医療装置は、体内に導入される医療装置であって、前記体内を撮像する撮像手段と、外部機器と信号を授受する通信手段と、前記通信手段の端部に配設され、前記外部機器と電気的に接続される電気接続手段と、前記電気接続手段を覆って装着され、前記電気接続手段に着脱自在な防滴手段と、前記防滴手段に設けられ、前記体内に導入されている前記通信手段を体外へ引出すための穿刺手段が掛止する掛止手段と、前記防滴手段に設けられ、前記穿刺手段によって前記体内から前記体外へ前記通信手段を引出すときに、体壁組織を切開する切開手段と、を具備することを特徴とする。
【手続補正２】
【補正対象書類名】明細書
【補正対象項目名】００１３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
体内に導入される医療装置であって、
前記体内を撮像する撮像ユニットと、
外部機器と信号を授受する通信ケーブルと、
前記通信ケーブルの端部に配設され、前記外部機器と電気的に接続される電気端子部と、
前記電気端子部を覆って装着され、前記電気端子部に着脱自在な防滴キャップと、
前記防滴キャップに設けられ、前記体内に導入されている前記通信ケーブルを体外へ引出すための穿刺針が掛止する掛止部と、
前記防滴キャップに設けられ、前記穿刺針によって前記体内から前記体外へ前記通信ケーブルを引出すときに、体壁組織を切開する切開部と、
を具備することを特徴とする医療装置。
【請求項２】
前記掛止部は、ループ状のワイヤであることを特徴とする請求項１に記載の医療装置。
【請求項３】
前記切開部は、前記防滴キャップの先端面に設けられた刃状部材であることを特徴とする請求項１に記載の医療装置。
【請求項４】
前記防滴キャップは、先端が円錐形状に形成されていることを特徴とする請求項３に記載の医療装置。
【請求項５】
前記刃状部材は、前記防滴キャップの円錐面に複数設けられていることを特徴とする請求項４に記載の医療装置。
【請求項６】
前記撮像ユニットの視野内に前記掛止部が位置するように、前記通信ケーブルを保持する保持部を有することを特徴とする請求項１に記載の医療装置。
【請求項７】
体内に導入される医療装置であって、
前記体内を撮像する撮像手段と、
外部機器と信号を授受する通信手段と、
前記通信手段の端部に配設され、前記外部機器と電気的に接続される電気接続手段と、
前記電気接続手段を覆って装着され、前記電気接続手段に着脱自在な防滴手段と、
前記防滴手段に設けられ、前記体内に導入されている前記通信手段を体外へ引出すための穿刺手段が掛止する掛止手段と、
前記防滴手段に設けられ、前記穿刺手段によって前記体内から前記体外へ前記通信手段を引出すときに、体壁組織を切開する切開手段と、
を具備することを特徴とする医療装置。
【国際調査報告】
2011024515.tif 000041
2011024515.tif 000042
2011024515.tif 000043
2011024515.tif 000044